(57)【要約】  【課題】    比較的簡単な構造でもって夾雑物は勿論のこと油分も確実に捕捉・捕集することができると共に、安価で且つメンテナンスが容易であり、しかも排水路ないしは排水桝からの臭気を有効的に遮断し得る排水用ストレーナを提供すること。  【解決手段】  ストレーナ本体１が気体及び液体を通さない材料を用いて形成され、該ストレーナ本体１に、排水路ないし排水桝Ａからの臭気を遮断するための開閉自在な臭気止め蓋２が設けら、ストレーナ本体１内に夾雑物を捕捉するための網部材３及び油分吸着フィルタ５が設けられている。  【選択図】    図５
2006045987.tif 000002
【特許請求の範囲】
【請求項１】
排水路や排水桝に設置される排水用ストレーナであって、ストレーナ本体が気体及び液体を通さない材料を用いて形成され、該ストレーナ本体に、排水路ないし排水桝からの臭気を遮断するための開閉自在な臭気止め蓋が設けられていることを特徴とする排水用ストレーナ。
【請求項２】
前記ストレーナ本体が、中央部分に排水口を開口した皿形状に形成され、その排水口に夾雑物を捕捉するための網部材が設けられている請求項１に記載の排水用ストレーナ。
【請求項３】
前記ストレーナ本体が、上部を開放した容器の形態に形成され、その側壁部及び／又は底壁部に排水口が開口形成され、該排水口の近傍に夾雑物を捕捉するための網部材が設けられている請求項１に記載の排水用ストレーナ。
【請求項４】
前記ストレーナ本体の周縁に、前記排水路や排水桝の上部開口部分に取外し可能に載承されるフランジが延設されている請求項１から３のいずれか１項に記載の排水用ストレーナ。
【請求項５】
前記網部材と重ね合わせるようにして油分吸着フィルタが設けられている請求項１から３のいずれか１項に記載の排水用ストレーナ。
【請求項６】
前記ストレーナ本体の排水口近傍に、夾雑物を捕捉するための立ち壁が設けられている請求項３に記載の排水用ストレーナ。
【請求項７】
前記ストレーナ本体の排水口近傍に、泥止め壁が設けられている請求項３に記載の排水用ストレーナ。
【請求項８】
前記ストレーナ本体の底壁が一方向又は左右両方向に傾斜して形成されている請求項３に記載の排水用ストレーナ。
【請求項９】
前記ストレーナ本体の上部開口部分に、排水路や排水桝を被覆する桝蓋が予め一体又は分離可能に設けられている請求項１から３のいずれか１項に記載の排水用ストレーナ。
【発明の詳細な説明】
【技術分野】
【０００１】
本発明は、排水管や排水溝などの排水路や、排水路の中途部に配置される雨水桝（主に雨水を排水する排水路や排水溝に構築される）とか、会所桝（複数の排水路や排水溝が会わさる場所に構築される）とか、汚水桝（主に汚水を排水する排水路や排水溝に構築される）とか、溜桝（雨水や汚水を溜置くことができるように排水溝や排水溝の段差部などに構築される）、などと称される排水桝の内部に設置して、排水路を流下する雨水や汚水等の排水（以下、単に排水と称する。）中に混在している塵芥類や落葉等の夾雑物、並びに排水路ないしは排水桝の上部開口を蓋っているグレーチング等の桝蓋を通して侵入してきた落葉や紙屑，タバコの吸い殻等の夾雑物を捕捉・捕集するための排水用ストレーナに関するものである。
なお、上記した桝類を、以下、単に排水桝と総称する。
【背景技術】
【０００２】
従来からこの種の排水用ストレーナはいろいろな構造形態のものが提供されているが、簡単な構造でもって夾雑物を確実に捕捉・捕集することができ、且つ安価でしかもメンテナンスが容易な排水用ストレーナが希求されている。
また、排水路ないし排水桝から立ち上る臭気を遮断し、同時に、排水路を流れる油分を有効的に捕捉し得る排水用ストレーナは、未だ提供されていないのが現状である。（例えば、特許文献１、特許文献２参照。）。
【０００３】
【特許文献１】特許第２８７２９７７号公報
【特許文献２】特許第２９６０９１９号公報
【発明の開示】
【発明が解決しようとする課題】
【０００４】
本発明はこのような現状に鑑みてなされたものであり、比較的簡単な構造でもって夾雑物は勿論のこと油分も有効的に捕捉・捕集することができると共に、安価で且つメンテナンスが容易であり、しかも排水路ないしは排水桝からの臭気を有効的に遮断し得る排水用ストレーナを提供せんとするものである。
【課題を解決するための手段】
【０００５】
上記の目的を達成する本発明の排水用ストレーナは、排水路や排水桝に設置される排水用ストレーナであって、ストレーナ本体が気体及び液体を通さない材料を用いて形成され、該ストレーナ本体に、排水路ないし排水桝からの臭気を遮断するための開閉自在な臭気止め蓋が設けられていることを特徴としたものである（請求項１）。
この際、前記ストレーナ本体が、中央部分に排水口を開口した皿形状に形成され、その排水口に夾雑物を捕捉するための網部材が設けられていても良い（請求項２）し、前記ストレーナ本体が、上部を開放した容器の形態に形成され、その側壁部及び／又は底壁部に排水口が開口形成され、該排水口の近傍に夾雑物を捕捉するための網部材が設けられていても良い（請求項３）。
更に、前記ストレーナ本体の周縁には、前記排水路や排水桝の上部開口部分に取外し可能に載承されるフランジが延設されていても良い（請求項４）し、前記網部材と重ね合わせるようにして油分吸着フィルタが設けられていても良い（請求項５）。
また、特に本発明の請求項３に係る排水用ストレーナの場合、前記ストレーナ本体の排水口近傍に、夾雑物を捕捉するための立ち壁を設けたり（請求項６）、或いは、泥止め壁を設けたり（請求項７）、又は前記ストレーナ本体の底壁が一方向又は左右両方向に傾斜して形成されていても良い（請求項８）。
そして、本発明の請求項９に係る排水用ストレーナは、前記ストレーナ本体の上部開口部分に、排水路や排水桝を被覆する桝蓋が予め一体又は分離可能に設けられていることを特徴としたものである。
【発明の効果】
【０００６】
本発明に係る排水用ストレーナによれば、比較的簡単な構造でもって夾雑物を確実に捕捉・捕集することができると共に、排水路ないしは排水桝からの臭気を有効的に遮断することが出来、しかも安価で且つメンテナンスが容易となる。
そして、特に請求項５に記載の排水用ストレーナによれば、ストレーナ本体に油分吸着フィルタを設けてなるので、夾雑物は勿論のこと油分も確実に捕捉することが出来る。
【発明を実施するための最良の形態】
【０００７】
以下、本発明の具体的な好適実施例を図面を参照しながら詳細に説明するが、本発明は図示実施例のものに限定されるものではなく、いろいろなバリエーションが考えられる。
また、各図面を通して同様の構成部材には同じ符号を付し、重複する説明は省略するものとする。
【０００８】
本発明に係る排水用ストレーナは、ストレーナ本体１が気体及び液体を通さない材料を用いて所要の形状に形成され、該ストレーナ本体１に、排水路ないし排水桝Ａからの臭気を遮断するための開閉自在な臭気止め蓋２が設けられていることを特徴とする。
すなわち、ストレーナ本体１は気体（臭気）及び液体（排水）を通さない金属材料又は合成樹脂材料を用いて夾雑物を受け入れられるように、皿形状（図１〜図４に示した実施例）または上部を開放した容器（箱）形状（図５〜図９に示した実施例）に形成され、これらストレーナ本体１に開口されている排水口１ａを通して上ってくる排水路ないし排水桝Ａからの臭気を開閉自在な臭気止め蓋２でもって遮断しようとするものである。
【０００９】
図１及び図２は、本発明の第１実施例を示し、図１は平面図、図２は排水路ないし排水桝Ａに設置した状態を説明する断面側面図である。
この第１実施例に係るストレーナ本体１は、ステンレス板等の金属板を加工するか或いは樹脂成形等により気体（臭気）及び液体（排水）を通さない材料を用いて、排水路ないし排水桝Ａの上部開口部分とほぼ同じ大きさに形成されると共に、排水路ないし排水桝Ａの上部開口部分に形成された桝蓋設置用段部Ａ１に取外し可能に載承されるフランジ１ｂを備え、且つ中央部分には排水口１ａが開口形成され、全体として略皿形状に形成されている。
なお、このストレーナ本体１の平面形状は、排水路ないし排水桝Ａの上部開口部分の形状（桝蓋設置用段部Ａ１の平面形状）に応じて、四角形状または円形状に形成される。
【００１０】
そして、上記排水口１ａ部分には、夾雑物を捕捉するための網部材３が当該排水口１ａの全体を被うように一体的又は取外し可能に設けられ、排水口１ａの上部位置には必要に応じて取っ手４が一体または取外し可能に設けられている。
ちなみに、図示例の取っ手４は、真っ直ぐな棒材を用いてストレーナ本体１に、差し込み掛止部４ａと蝶ねじ４ｂでもって取外し可能に取り付けられているが、その他に周知のバケツの取っ手のようにアーチ型に形成して枢軸等で回動自在に取り付けることも考えられる。
なお、ストレーナ本体１に設けられる取っ手３は１本だけでなく２本以上在ってもよいし、また２本の取っ手部材を予め十文字状に組み合わせて設けてもよい。
【００１１】
網部材３は、ストレーナ本体１内に捕集された落葉や紙屑，タバコの吸い殻等の夾雑物を捕捉するためのものであり、捕捉する夾雑物の大きさや性状などに応じて、ステンレス材・鉄材・銅材等の金属材やＦＲＰ・塩化ビニル等の合成樹脂材などからなる網材、またはパンチングメタル材、または排水ドレンのような格子状スリットを有する鋳物材等を用いて、排水口１ａの全体を被うように一体的又は取外し可能に設けられる。
【００１２】
また、このストレーナ本体１の排水口１ａ部分には、上記網部材３の上面又は裏面側に油分吸着フィルタ５が重ね合わせるようにして設けられる。
油分吸着フィルタ５は、排水や夾雑物に混じって流れる油分を吸着するためのものであり、油分を吸着し得るものであればその材質や形状を問わず市販されているものを使用し得る。油分吸着フィルタ５として例えば、天然繊維または合成繊維からなるシート状或いはマット状に形成されたものなどを挙げることができる。
【００１３】
更に、ストレーナ本体１には、排水口１ａを通して排水路ないし排水桝Ａから立ち上って来る臭気を遮断するための臭気止め蓋２が開閉自在に設けられる。
臭気止め蓋２は、ストレーナ本体１の排水口１ａから排水路ないし排水桝Ａへ排水は通過させるが排水路ないし排水桝Ａから立ち上る臭気を遮断し得るように形成される。
ストレーナ本体１の排水口１ａを通して立ち上って来る排水路ないし排水桝Ａからの臭気を遮断するための構造・機構はいろいろと考えられるが、図２に示した第１実施例のものは、臭気止め蓋２をストレーナ本体１と同様の気体及び液体を通さない材料で形成された平板を用いて排水口１ａのおよそ半分の大きさの矩形形状に形成し、その２枚を用いてストレーナ本体１の排水口１ａの左右両縁にそれぞれ下方へ向けて観音開きするように蝶番６でもって開閉自在に取り付けると共に、両臭気止め蓋２，２をねじりバネ等を用いて閉まる方向へ付勢させることにより、通常時にはストレーナ本体１の排水口１ａが閉じられて排水路ないし排水桝Ａから立ち上る臭気を遮断し得るように形成されている。
【００１４】
また、図３及び図４に示した第２実施例のものは、第１実施例と同様に略皿状に形成されたストレーナ本体１の排水口１ａ部分に夾雑物捕集室１ｃを垂下形成せしめ、夾雑物捕集室１ｃの下端開口部に網部材３及び油分吸着フィルタ５を互いに重ね合わせるようにして設けると共に、臭気止め蓋２をストレーナ本体１の排水口１ａの内形とほぼ同じ大きさの平板形状に形成し、その両側を支軸２ａで回動自由に支持せしめてストレーナ本体１の排水口１ａ部分に設置したものである。
なお、図中の符号２ｂは、臭気止め蓋２をやじろべえの如く水平を保つようにするための錘でり、符号２ｃは、ストレーナ本体１の排水口１ａと臭気止め蓋２との隙間を埋めるために臭気止め蓋２の辺縁に取り付けられた柔軟弾性を有するゴム又は合成樹脂製の舌片である。
【００１５】
次に、本発明の第３〜７の実施例について、図５〜図９を参照しながら説明する。
これら第３〜７の実施例では、ストレーナ本体１が上部を開放した容器（箱形）の形態をなし、その側壁部１ｄ及び／又は底壁部１ｅに排水口１ａが開口形成されると共に、排水口１ａ部分に、排水路ないし排水桝Ａからの臭気を遮断するための臭気止め蓋２が開閉自在に設けられている。
【００１６】
すなわち、第３〜７実施例に係るストレーナ本体１は、ステンレス板等の金属板を加工するか或いは樹脂成形等により気体（臭気）及び液体（排水）を通さない材料を用いて、排水路ないし排水桝Ａの内形よりも小さい上部を開放した四角形状又は円形状をした容器（箱形）の形態に形成され、その側壁部１ｄ及び／又は底壁部１ｅに排水口１ａが開口形成され、開放した上部から夾雑物を受け入れその内部に捕集するようになっている。
この場合、ストレーナ本体１は、四角形状又は円形状をした容器（箱形）の形態に限らず、Ｕ字溝のように所定の長さに形成された排水路の長手方向に沿って設置しえる樋状に細長く形成することも考えられる。
【００１７】
なお、このストレーナ本体１の上部開口の周囲には、第１及び第２実施例と同様に、排水路ないし排水桝Ａの上部開口部分に形成された桝蓋設置用段部Ａ１に取外し可能に載承されるフランジ１ｂを、第４実施例（図６）〜第７実施例（図９）に示す如く張り出し形成しても良い。そうすれば、フランジ１ｂを介して排水ストレーナ（ストレーナ本体１）を直接桝蓋設置用段部Ａ１に取外し可能に載承設置することが出来るようになる。
【００１８】
また、これら第３〜７の実施例では、ストレーナ本体１の排水口１ａを開閉するための臭気止め蓋２が、ストレーナ本体１と同様の材料からなる平板を用いて排水口１ａより少し大きな矩形形状に形成され、排水口１ａの上部口縁に蝶番６でもって開閉自在に取り付けることにより、通常時には臭気止め蓋２の自重でストレーナ本体１の排水口１ａが閉じられて、排水路ないしは排水桝Ａから立ち上る臭気を遮断し得るように形成されている。
【００１９】
なお、格別に図示はしていないが、第３〜７の実施例の如くに上部を開放した四角形状又は円形状をした容器（箱形）の形態に形成されたストレーナ本体１の内部に、図３及び図４に示した第２実施例の臭気止め蓋２と同様の機構を組み込むことができることは理解されるだろう。
【００２０】
そして、ストレーナ本体１の排水口１ａの近傍には、夾雑物を捕捉するための網部材３が一体的又は取外し可能に設けられる。
ちなみに、図５に示した第３実施例及び図８に示した第６実施例では、ストレーナ本体１の側壁部１ｄの左右下部にそれぞれ排水口１ａが開口形成され、排水口１ａの両脇に掛止ガイド８を設けて、排水口１ａより少し大きな矩形形状に形成した網部材３を上記両掛止ガイド８にわたって抜き挿し自在に差し込むことにより、網部材３がストレーナ本体１に対して取外し可能に設けられている。
【００２１】
また、図６に示した第４実施例及び図７に示した第５実施例では、夾雑物を捕捉するための網部材３が、ストレーナ本体１の内形とほぼ同形に形成され、ストレーナ本体１の内部に設けた支承棚１ｆにわたって水平状に架設設置されている。この場合も、網部材３はストレーナ本体１に対して取外し可能に設置することが好ましい。
【００２２】
更に、ストレーナ本体１の排水口１ａの付近に、ストレーナ本体１の底壁部１ｅから鉛直方向に適宜高さの立ち壁９および泥止め壁１０を設けても良い。
立ち壁９は夾雑物を捕捉するためのものであり、ストレーナ本体１の排水口１ａ全長にわたってストレーナ本体１の底壁部１ｅから鉛直方向に適宜高さに形成されるが、金属又は合成樹脂製の平板材を用いて形成されていても良いし、網部材３と同様な網材を用いて形成されていても良い。また、この立ち壁９は、網部材３と併用してもよいし、網部材３を使用せずに単独で使用しても良い。
【００２３】
泥止め壁１０は、ストレーナ本体１に捕捉された土砂が排水路ないし排水桝Ａに流出しないように堰き止めておくためのものであり、ストレーナ本体１の排水口１ａ全長にわたってストレーナ本体１の底壁７ｂから鉛直方向に適宜高さに形成される。
なお、立ち壁９と泥止め壁１０を兼用させる、すなわち立ち壁９と泥止め壁１０のどちらか一方のみを設けるようにしても良いが、図６に示すごとく、立ち壁９と泥止め壁１０を併用する場合には、泥止め壁１０を立ち壁９よりもストレーナ本体１の排水口１ａ寄りに配置すると共に、立ち壁９を泥止め壁１０よりも高く形成することが好ましい。
【００２４】
更に、ストレーナ本体１の内部には、油分吸着フィルタ５を設ける。その場合、図５に示した第３実施例及び図８に示した第６実施例のごとく、ストレーナ本体１の排水口１ａ付近に設置する場合と、図６に示した第３実施例及び図７に示した第５実施例のごとくストレーナ本体１の中央部に水平状に設置する場合とがある。
すなわち、図５に示した第３実施例及び図８に示した第６実施例のものは、油分吸着フィルタ５を網部材３とほぼ同じ大きさに形成して、排水口１ａの両脇に設けた掛止ガイド８にわたって網部材３と並列に抜き挿し自在に差し込むことにより、ストレーナ本体１の排水口１ａ近傍に取外し可能に設けたものである。そして、図６に示した第３実施例及び図７に示した第５実施例のものは、油分吸着フィルタ５をストレーナ本体１の中央部に水平状に設置された網部材３とほぼ同じ大きさに形成して、その上面又は裏面側に重ね合わせ設置したものである。この場合、２枚の網部材３でもって油分吸着フィルタ５を挟持するようにしても良い。
【００２５】
また、上部を開放した容器の形態に形成されたストレーナ本体１の場合、底壁部１ｅは、一方向又は左右両方向に傾斜して形成されていても良い。図７に示した第５実施例のものは、ストレーナ本体１の底壁部１ｅが図面上の左から右に下方に向け一方向に傾斜して形成され、図面上の右側の側壁部１ｅにのみ排水口１ａを開口形成せしめて、その排水口１ａ部分に排水路ないし排水桝Ａからの臭気を遮断するための臭気止め蓋２が開閉自在に設けられている。この様に、ストレーナ本体１の底壁部１ｅを一方向に傾斜して形成することにより、排水口１ａが１つで済み、それに伴い排水口１ａを開閉するための臭気止め蓋２が１つで済み、より安価に製造し提供することが出来るようになる。
【００２６】
また、ストレーナ本体１の上部には、当該ストレーナ本体１の上部開口を被う目隠しプレート１１を一体又は分離可能に設けても良い。
目隠しプレート１１は、ストレーナ本体１内に捕捉・捕集された夾雑物を上方からできるだけ見えないように目隠しすると同時に、捕捉・捕集した夾雑物がストレーナ本体１内から逆流して溢れ出るのを少なからず防止するためのものであり、ストレーナ本体１と同様の材料を用いて、少なくともストレーナ本体１の上部開口を覆い隠す大きさに形成すると共に、その中央部に夾雑物導入口１１ａが開口した浅い皿形状に形成され、ストレーナ本体１の上部開口部分に一体又は取外し自在に取り付けられる。
【００２７】
目隠しプレート１１をストレーナ本体１の上部開口部分に取外し自在に取り付ける構造としてはいろいろ考えられるが、図８に示した第６実施例のものは、目隠しプレート１１の夾雑物導入口１１ａをストレーナ本体１の外形とほぼ同じ大きさに形成せしめ、一方ストレーナ本体１の開口部周縁にフランジ１ｂを一体に張り出し形成せしめ、ストレーナ本体１を目隠しプレート１１の上方から夾雑物導入口１１ａに落し込み、ストレーナ本体１のフランジ１ｂを目隠しプレート１１の夾雑物導入口１１ａの口縁に掛止させることにより、目隠しプレート１１をストレーナ本体１の上部開口部分に取外し自在に連結するように形成したものである。
【００２８】
また、目隠しプレート１１は、図５に示した第３実施例のごとくその周縁部分１１ｂをストレーナ本体１の外形よりも大きく形成して、その周縁部分１１ｂを排水路ないし排水桝Ａの上部開口部分に形成された桝蓋設置用段部Ａ１に取外し可能に載承掛止させるようにしても良いし、図６に示した第４実施例のごとく目隠しプレート１１の外形をストレーナ本体１の上部開口の形状と同形ないしは少し小形に形成して、ストレーナ本体１の上部開口内部に設置するようにしても良い。
【００２９】
また、目隠しプレート１１には、排水路ないし排水桝Ａの上部開口を被っているグレーチング等の桝蓋Ｂの盗難や流失防止を目的として、排水桝Ａの内部と桝蓋Ｂとを繋ぐ鎖（図示せず）を通すための鎖通し部１１ｃを開口形成し、必要に応じてその鎖通し部１１ｃを開閉自在に構成しても良い。
【００３０】
更に、目隠しプレート１１の夾雑物導入口１１ａ部分には、図６に示すごとく、当該夾雑物導入口１１ａを開閉するフロート弁１２を設けても良い。この場合、目隠しプレート１１の夾雑物導入口１１ａは、通常時はフロート弁１２で閉塞され、その状態で目隠しプレート１１上に雨水が溜まるとフロート弁１２に浮力がはたらくようになるので夾雑物導入口１１ａが開口し、目隠しプレート１１上に溜まった雨水がストレーナ本体１内へ流出するようになる。なお、図中の符号１２ａはフロート弁１２が夾雑物導入口１１ａから不用意に脱落しないように保持しておくための保持部である。
【００３１】
また、図７に示す第５実施例のごとく、ストレーナ本体１の開口部に、排水路ないし排水桝Ａの上部開口を被う桝蓋（金属性のグレーチングや樹脂製の桝蓋等）Ｂを予め一体又は分離可能に設けるようにしても良い。その場合、ストレーナ本体１の開口部に一体に張り出し形成せしめたフランジ１ｂにグレーチング等の桝蓋Ｂを予め製造工場においてねじ１３等で分離可能に取り付けるようにすると良い。
【００３２】
また、ストレーナ本体１は、排水路ないし排水桝Ａの上部開口部分に形成された桝蓋設置用段部Ａ１に直接設置するだけでなく、図８に示す第６実施例のごとく、桝蓋設置用段部Ａ１に設置された夾雑物捕集容器１４を介して一体又は分離可能に設置するようにしても良い。
すなわち、夾雑物捕集容器１４は、ストレーナ本体１とほぼ同様に、ステンレス材等の金属板若しくは合成樹脂板等の気体（臭気）及び液体（排水）を通さない板材料を用いて、上部を開放した四角形状又は円形状をした容器の形態に形成され、その開口部周縁に排水路ないし排水桝Ａの桝蓋設置用段部Ａ１に載承されるフランジ部１４ａを水平方向に張り出し形成すると共に、底壁１４ｂ部分に、ストレーナ本体１が貫通する設置用穴１４ｃを開口形成してなる。そして、この夾雑物捕集容器１４を排水路ないし排水桝Ａ内に上記フランジ部１４ａを介して設置せしめ、上記設置用穴１４ｃに上からストレーナ本体１を落し込み貫通させて、設置用穴１４ｃの口縁にストレーナ本体１のフランジ１ｂを掛止載承させることにより、ストレーナ本体１を夾雑物捕集容器１４に分離可能に設置するものである。
このように構成することにより、排水路ないし排水桝Ａの大きさ形状に合わせて形成された夾雑物捕集容器１４に対して一種類のストレーナ本体１で対応することが可能となり、ストレーナ本体１に汎用性を持たせることが出来るようになる。
【図面の簡単な説明】
【００３３】
【図１】本発明の第１実施例に係る排水用ストレーナの平面図。
【図２】同排水用ストレーナを排水桝に設置した状態を説明する断面側面図。
【図３】本発明の第２実施例に係る排水用ストレーナの平面図。
【図４】排水用ストレーナを排水桝に設置した状態を説明する図３の（Ｘ）−（Ｘ）線断面側面図。
【図５】本発明の第３実施例に係る排水用ストレーナの一部切欠分解斜視図。
【図６】本発明の第４実施例に係る排水用ストレーナの断面側面図。
【図７】本発明の第５実施例に係る排水用ストレーナの断面側面図。
【図８】本発明の第６実施例に係る排水用ストレーナの断面側面図。
【図９】本発明の第７実施例に係る排水用ストレーナを排水桝に設置した状態を説明する断面側面図。
【符号の説明】
【００３４】
Ａ：排水路ないし排水桝        Ａ１：桝蓋設置用段部
Ｂ：桝蓋
１：ストレーナ本体            １ａ：排水口
１ｂ：フランジ                １ｃ：夾雑物捕集室
１ｄ：側壁部                  １ｅ：底壁部
１ｆ：支承棚
２：臭気止め蓋                ２ａ：支軸
２ｂ：錘                      ２ｃ：舌片
３：網部材
４：取っ手                    ４ａ：差し込み掛止部
４ｂ：蝶ねじ
５：油分吸着フィルタ            ６：蝶番
８：掛止ガイド
９：立ち壁                    １０：泥止め壁
１１：目隠しプレート        １１ａ：夾雑物導入口
１１ｂ：周縁部分            １１ｃ：鎖通し部
１２：フロート弁            １２ａ：保持部
１３：ねじ
１４：夾雑物捕集容器        １４ａ：フランジ部
１４ｂ：底壁                １４ｃ：設置用穴
【図１】
2006045987.tif 000003
【図２】
2006045987.tif 000004
【図３】
2006045987.tif 000005
【図４】
2006045987.tif 000006
【図５】
2006045987.tif 000007
【図６】
2006045987.tif 000008
【図７】
2006045987.tif 000009
【図８】
2006045987.tif 000010
【図９】
2006045987.tif 000011